(57)【要約】【課題】  バイパス開口の上方で発生する結露水が送風口へ案内されるのを阻止可能な加湿空気発生装置を提供する。【解決手段】  バイパス開口３２の上端縁には、気水分離ケース３０の内側方向である左方向へ突出し、かつ幅方向である前後方向の一端側としての後端３３ａより他端側としての前端３３ｂが下方となるよう傾斜するガイド板３３が設置されている。これにより、バイパス開口３２の上方で発生した結露水がバイパス開口３２の上端縁に達したとき、ガイド板３３により前方向の下方へ結露水が案内されるため、バイパス開口３２の上端縁から垂れた結露水がバイパス開口３２から気水分離ケース３０内へ流入する乾燥空気によって千切れ飛ぶのを阻止することができる。【選択図】  図７
2020134012.tif 000002
【特許請求の範囲】
【請求項１】
器具本体内に設置され乾燥空気を送風する送風ファンと、
当該送風ファンにより送風された乾燥空気が通過する乾燥風路と、
当該乾燥風路の下流側にあり水を貯める貯水タンクと、
当該貯水タンクに設置され加湿空気を発生させる加湿空気発生手段と、
前記貯水タンクの下流側にあり前記加湿空気発生手段で発生した加湿空気が通過する加湿風路と、
前記加湿風路に形成され前記乾燥風路内の乾燥空気を前記加湿風路内へ流入可能とするバイパス開口と、
前記加湿風路の下流側にあり前記加湿風路を通過した加湿空気と乾燥空気とを混合した空気を吹き出す送風口と、を備え、
前記バイパス開口の上端縁に沿って前記加湿風路の内側方向に突出し、かつ幅方向の一端側より他端側が下方となるよう傾斜するガイド板を設置したことを特徴とする加湿空気発生装置。
【請求項２】
前記ガイド板は、前記他端側に幅方向へ延びる突き出し部が形成され、当該突き出し部と前記加湿風路の側面との間にスリットを形成したことを特徴とする請求項１記載の加湿空気発生装置。
【請求項３】
前記ガイド板は、前記加湿風路の側面に接続固定する接続面と前記加湿風路の内側方向に突出する案内面とで構成され、前記加湿風路内で前記接続面と前記案内面とで成す角度が鋭角となるように設置したことを特徴とする請求項１または２記載の加湿空気発生装置。
【発明の詳細な説明】
【技術分野】
【０００１】
この発明は、加湿空気を室内へ供給する加湿空気発生装置に関するものである。
【背景技術】
【０００２】
従来、この種のものでは、吸気口から吸い込んだ乾燥空気が乾燥風路を通過し、乾燥風路の下流側に設置された貯水タンク内を通過することで、貯水タンク内に設置された加湿空気発生手段により乾燥空気に水分が含まれ加湿空気が発生し、貯水タンクの下流側に設置された加湿風路内を加湿空気が通過した後に送風口から加湿空気が室内へ送風され、室内の加湿と空気清浄を実施するものにおいて、加湿風路の側面に乾燥風路を通過する乾燥空気が貯水タンクを迂回し加湿風路内へ流入可能なバイパス開口を形成したことで、送風口から室内へ送風される加湿空気の送風量をアップさせるものがあった。（例えば、特許文献１）
【先行技術文献】
【特許文献】
【０００３】
【特許文献１】特開２０１８−１２４０３２号公報
【発明の概要】
【発明が解決しようとする課題】
【０００４】
しかし、この従来のものでは、貯水タンク内に設置された加熱ヒータにより加熱され温度上昇した加湿空気が加湿風路内を通過することから、加湿空気より温度が低い乾燥空気がバイパス開口から流入すると加湿風路内のバイパス開口付近が冷却され、結露水が発生する。
【０００５】
そして、加湿風路内のバイパス開口より上方で発生した結露水がバイパス開口の上端縁から垂れてしまうと、バイパス開口を介して加湿風路内へ流入する乾燥空気により結露水が千切れ飛び、送風口まで結露水が運ばれることで送風口付近が濡れてしまい、運転停止後に送風口付近が乾燥するとスケールが析出して外観の汚れが目立つ問題があり、また、送風口から飛び出た結露水により器具本体の設置面が濡れる虞があったことから、改善の余地があった。
【課題を解決するための手段】
【０００６】
上記課題を解決するために、本発明の請求項１では、器具本体内に設置され乾燥空気を送風する送風ファンと、
当該送風ファンにより送風された乾燥空気が通過する乾燥風路と、
当該乾燥風路の下流側にあり水を貯める貯水タンクと、
当該貯水タンクに設置され加湿空気を発生させる加湿空気発生手段と、
前記貯水タンクの下流側にあり前記加湿空気発生手段で発生した加湿空気が通過する加湿風路と、
前記加湿風路に形成され前記乾燥風路内の乾燥空気を前記加湿風路内へ流入可能とするバイパス開口と、
前記加湿風路の下流側にあり前記加湿風路を通過した加湿空気と乾燥空気とを混合した空気を吹き出す送風口と、を備え、
前記バイパス開口の上端縁に沿って前記加湿風路の内側方向に突出し、かつ幅方向の一端側より他端側が下方となるよう傾斜するガイド板を設置したことを特徴としている。
【０００７】
また、請求項２では、前記ガイド板は、前記他端側に幅方向へ延びる突き出し部が形成され、当該突き出し部と前記加湿風路の側面との間にスリットを形成したことを特徴としている。
【０００８】
また、請求項３では、前記ガイド板は、前記加湿風路の側面に接続固定する接続面と前記加湿風路の内側方向に突出する案内面とで構成され、前記加湿風路内で前記接続面と前記案内面とで成す角度が鋭角となるように設置したことを特徴としている。
【発明の効果】
【０００９】
この発明によれば、バイパス開口の上端縁に沿って加湿風路の内側方向に突出し、かつ
幅方向の一端側より他端側が下方となるよう傾斜するガイド板を設置したので、バイパス開口の上端縁に達した結露水がガイド板の他端側へ案内されるため、バイパス開口の上端縁に付着した結露水が乾燥空気によって千切れ飛び、送風口まで案内されて運転停止後に送風口にスケールが付着し外観の汚れが目立つ、また、送風口から飛び出た結露水により器具本体の設置面が濡れる虞がある、といった結露水による不具合を未然に阻止することができる。
【００１０】
また、ガイド板は、他端側に幅方向へ延びる突き出し部が形成され、当該突き出し部と気水分離ケースの側面との間にスリットを形成したので、バイパス開口の上端に達した結露水についてスリットを介してスムーズに気水分離ケースの下方の貯水タンクへ案内することができる。
【００１１】
また、ガイド板は、加湿風路の側面に接続固定する接続面と加湿風路の内側方向に突出する案内面とで構成され、加湿風路内で接続面と案内面とで成す角度が鋭角となるよう設置したので、バイパス開口の上端に達した結露水をガイド板から垂れ落ちることなく下方へ案内することができる。
【図面の簡単な説明】
【００１２】
【図１】この発明の一実施形態の外観を説明する斜視図である。
【図２】同実施形態の概略構成図である。
【図３】同実施形態の操作部を説明する図である。
【図４】同実施形態の制御ブロック図である。
【図５】同実施形態の運転開始から終了までの動作を説明するフローチャートである。
【図６】同実施形態の気水分離ケース内の空気の流れを説明する斜視図である。
【図７】同実施形態の気水分離ケース内の空気の流れを説明する斜視図である。
【図８】同実施形態のバイパス開口周辺の構造を説明する要部拡大図である。
【図９】同実施形態の気水分離ケース周辺の空気の流れを説明する平面図である。
【図１０】同実施形態のガイド板の構造を説明する図９のＡ−Ａ‘断面図である。
【発明を実施するための形態】
【００１３】
次に、この発明の一実施形態における加湿空気発生装置を図に基づいて説明する。
図１を参照する。１は器具本体、２は器具本体１の正面上部を構成する上面パネル、３は器具本体１の正面下部を構成する下面パネル、４は図示しないブレーカーを隠すブレーカーカバーである。
【００１４】
図２を参照する。１０は器具本体１内の略中段高さ位置にあって所定量の水を貯水する貯水タンクであり、この貯水タンク１０内には、水面より下にあり上下方向に平行な位置関係で２本設置されＯＮ状態、ＯＦＦ状態を切り替えて貯水を加熱する加湿空気発生手段を構成する加熱ヒータ１１ａ及び下加熱ヒータ１１ｂと、貯水タンク１０の外壁に設置され貯水温度を検知する貯水温度センサ１２と、フロートが上下することで水位を検知する水位センサ１３と、貯水タンク１０の外壁に設置され各加熱ヒータ１１がＯＦＦ状態に切り替わらず加熱が継続され異常高温となったら各加熱ヒータ１１と電源との接点を開放し自動での接点復帰は行わない手動復帰型バイメタル式のサーモスタット１４と、上加熱ヒータ１１ａと回転体２０との間に配置され貯水タンク１０に水が存在しないとき各加熱ヒータ１１がＯＮ状態で継続することで放射される輻射熱から回転体２０を保護する遮熱板１５と、を備えている。
【００１５】
図２を参照する。２０は貯水タンク１０の水中に下端が水没し駆動軸２１に軸支され中空逆円錐形で上方に向かって円周が徐々に拡大する筒状の回転体であり、回転体２０は、上部外周に所定間隔を離間させて位置し回転体２０と共に回転する円筒状の枠体２２と、該枠体２２の全周壁に多数のスリット、金網、及びパンチングメタル等から成る衝突体としての多孔部２３が設置されている。
【００１６】
図２を参照する。２４は貯水タンク１０の上方に設置され駆動軸２１と軸支することで回転体２０を回転駆動させる加湿空気発生手段を構成するミストモータ２４であり、当該ミストモータ２４が駆動すると、加湿空気発生手段を構成する回転体２０が回転して貯水タンク１０の内壁から水が汲み上げられ、回転体２０の上端に形成された複数の図示しない飛散口から外周方向へ飛散し、加湿空気発生手段を構成する多孔部２３に衝突することで、水が微細化して粒径がナノメートル（ｎｍ）サイズのミストが多量に生成されると同時に、粒径が比較的大きな大粒水滴が発生する。
【００１７】
なお、貯水タンク１０内の水位が下限水位を下回ると、回転体２０で水を汲み上げることが困難な状態になり、ミストと負イオンの発生量が減少して室内に放出される加湿空気量が減少してしまう。
また、貯水タンク１０内の水位が上限水位を上回ると、水の粘性抵抗により回転体２０の回転に対する負荷が増大することから、ミストモータ２４に負荷がかかり製品寿命の低下に繋がる。
以上のことから、貯水タンク１０内の水位を下限水位から上限水位の範囲に収めることで、回転体２０による水の汲み上げ量を確保すると共にミストモータ２４の負荷増大を防止することができる。
【００１８】
図２を参照する。３０は貯水タンク１０と送風口４０とを接続し貯水タンク１０内で発生したミストを含む加湿空気が通過する加湿風路としての気水分離ケース、３１は該気水分離ケース３０の途中に互い違いとなるよう複数配置された板状のバッフル板である。
【００１９】
気水分離ケース３０内を加湿空気が通過すると加湿空気に含まれる粒径の大きな大粒水滴がバッフル板３１に付着し、バッフル板３１に付着した大粒水滴が溜まると気水分離ケース３０の側面を流れ落ちて貯水タンク１０へ滴下する。これにより、送風口４０まで大粒水滴が案内されることがなく、送風口４０付近の結露発生を未然に防止することができる。
【００２０】
図２を参照する。３２は最上段に設置されたバッフル板３１より上方に位置する気水分離ケース３０の側面に形成されたバイパス開口であり、送風経路５４内を通過する乾燥空気が貯水タンク１０を迂回しバイパス開口３２から気水分離ケース３０内へ流入可能とする。３３は後に詳述するガイド板である。
【００２１】
このように、バイパス開口３２が気水分離ケース３０に形成されたことで、貯水タンク１０内を通過し空気中にミストと負イオンとを含んだ加湿空気と、送風経路５４を通過した乾燥空気とが気水分離ケース３０の途中で合流し、混合空気として送風口４０から室内へ送風されることで送風量がアップするため、風量アップのために送風ファン５１を大型化する必要がなく大幅なコストアップを阻止できる。
【００２２】
図２を参照する。４０は器具本体１上部の前面方向が開口した送風口であり、送風口４０には、上下方向の風向を変更可能な板状のルーバー４１と、室内へ送風される加湿空気の温度を検知する送風温度センサ４２と、が備えられ、気水分離ケース３０を通過したミストを含む加湿空気が送風口４０から室内へ送風されることで室内の加湿と空気清浄とが実施可能となる。
【００２３】
図２を参照する。５０は器具本体１の底面に形成され室内の空気が入り込む吸気口であり、吸気口５０内には、所定の回転数で駆動することで室内空気を吸引して器具本体１の上部方向へ送風する送風ファン５１と、吸気口５０へ吸い込まれる室内空気の雰囲気温度を検知する吸気温度センサ５２と、器具本体１が設置された室内の相対湿度を検知する湿度センサ５３と、を備えている。
【００２４】
送風ファン５１が所定の回転数で駆動すると、器具本体１の底面に形成された吸気口５０から吸い込んだ室内空気が器具本体１の上部方向へ送風され、吸気口５と貯水タンク１０とを接続する乾燥風路としての送風経路５４を室内空気が通過し、貯水タンク流入口１０ａから貯水タンク１０内へ流入した室内空気がミストを含んだ加湿空気となって前記気水分離ケース３０内を上昇し送風口４０から室内へ送風されることで、ミストを含んだ加湿空気を室内に供給することができる。
【００２５】
図２を参照する。６０は貯水タンク１０の側面に一端が接続され貯水タンク１０内に市水を給水する給水管であり、給水管６０の配管途中には、電磁弁を開閉して貯水タンク１０内への給水を制御する給水弁６１と、給水圧を所定値まで減圧する減圧弁６２とが備えられている。
【００２６】
７０は貯水タンク１０の下部に一端が接続され貯水タンク１０内の水を器具本体１外部に排水する排水管であり、排水管７０の配管途中には、電磁弁を開閉して貯水タンク１０内水の排水を制御する排水弁７１が備えられている。
【００２７】
図３を参照する。８０は上面パネル２に設置され複数のスイッチとランプとを備えた操作部であり、操作部８０には、ミスト運転の開始及び停止を指示する運転スイッチ８１と、各加熱ヒータ１１のＯＮ／ＯＦＦ状態を切り替えることで貯水タンク１０内の貯水温度を変化させ所定時間あたりに貯水タンク１０から流出する水量である加湿量を変化させる３段階の加湿レベルと、湿度センサ５３で検知された湿度が予め設定された湿度となるよう前記加湿レベルを変化させるオートモードとから選択可能な加湿スイッチ８２と、ミストモータ２４と送風ファン５１との回転数の大小を設定可能な三段階の風量レベルと、湿度センサ５３で設定された湿度が予め設定された湿度となるよう前記風量レベルを変化させるオードモードとから選択可能な風量スイッチ８３と、が備えられている。
【００２８】
図３を参照する。操作部８０の各スイッチ上部には各スイッチに対応したランプが備えられており、運転スイッチ８１が操作されたら点灯する運転ランプ８４と、ミスト運転が所定時間以上継続したら開始する除菌運転時に点灯する除菌ランプ８５と、加湿スイッチ８２で設定された加湿レベルを１から３の数値とオートモードを示すＡで表示する加湿レベルランプ８６と、風量スイッチ８３で設定された風量レベルを１から３の数値とオートモードを示すＡで表示する風量レベルランプ８７と、が備えられている。
【００２９】
図４を参照する。９０は各センサで検知された検知値や操作部８０上に備えられた各スイッチでの設定内容に基づき運転内容や弁の開閉を制御するマイコンで構成された制御部であり、ミストモータ２４を所定の回転数で駆動させるミストモータ制御手段９１と、送風ファン５１を所定の回転数で駆動させる送風ファン制御手段９２と、各加熱ヒータ１１のＯＮ／ＯＦＦ状態を切り替えて貯水タンク１０内の水温を制御するＳＳＲ（ソリッドステートリレー）で構成される加熱ヒータ制御手段９３と、が備えられている。
【００３０】
（運転動作の説明）
次に、この一実施形態での運転開始から終了までの動作について図５のフローチャートを参照し説明する。
まず、操作部８０の運転スイッチ８１が操作されたら、制御部９０は、排水弁７１を開弁して貯水タンク１０内の水を排水し、水位センサ１３でＯＦＦ信号が検知されたら給水弁６１を開弁して貯水タンク１０内を水で洗い流すクリーニング動作を行い、所定時間経過したら排水弁７１を閉弁することで給水弁６１から流入する水を貯水タンク１０内に供給し、水位センサ１３でＯＮ信号が検知されたら、所定量の水が貯水タンク１０内に供給されたとして給水弁６１を閉弁する洗浄モードを行う（ステップＳ１０１）。
【００３１】
ステップＳ１０１の洗浄モードが終了したら、制御部９０は、貯水温度センサ１２で検知される貯水温度が室温と同値になるまで加熱ヒータ制御手段９３で各加熱ヒータ１１をＯＮ状態にして、ミストモータ２４及び送風ファン５１が所定の回転数となるようミストモータ制御手段９１及び送風ファン制御手段９２で制御する立ち上げ動作を実行する立ち上げモードを行う（ステップＳ１０２）。
【００３２】
ステップＳ１０２の立ち上げモードが終了したら、制御部９０は、加湿スイッチ８２及び風量スイッチ８３で設定された加湿レベルと風量レベルとに基づいて、ミストモータ２４と送風ファン５１とが所定の回転数で駆動するようミストモータ制御手段９１と送風ファン制御手段９２とで回転数を制御し、各加熱ヒータ１１のＯＮ／ＯＦＦ状態を加熱ヒータ制御手段９３で切り替えて制御して、加湿レベルと風量レベルとに合わせた所定の温度範囲内にするミスト運転を実行する通常運転モードを行う（ステップＳ１０３）。
【００３３】
通常運転モードの実施時、送風ファン５１が所定の回転数で駆動すると、器具本体１の底面に形成された吸気口５０から室内の乾燥空気が吸い込まれて送風経路５４を通過した後、乾燥空気の一部は貯水タンク流入口１０ａを介して貯水タンク１０内へ流入しミストを含んだ加湿空気となって前記気水分離ケース３０内を上昇し、その他の乾燥空気はバイパス開口３２から気水分離ケース３０内に流入し、貯水タンク１０から上昇した加湿空気と合流して混合空気となって送風口４０から室内へ送風されることで、ミストを含んだ加湿空気を大風量で室内へ送風することができる。
【００３４】
ステップＳ１０３の通常運転モードが開始されてから経過した時間が１６時間となったか、または通常運転モード中に運転スイッチ８１が操作されミスト運転終了の指示があったと判断したら、制御部９０は、ミストモータ２４を停止させてから排水弁７１を開弁して貯水タンク１０内の水を排水し、所定時間経過したら給水弁６１を開弁して貯水タンク１０内を洗浄してから排水弁７１を閉弁して貯水タンク１０内に所定量だけ貯水する洗浄運転を行い、その後、各加熱ヒータ１１をＯＮ状態にして水を６５℃前後に加熱し除菌を行う除菌運転を１０分間実施し、１０分経過後に貯水タンク１０内を冷却する冷却運転を実行し、貯水温度が６０℃未満になったら排水弁７１を開弁して排水するクリーニングモードを行う（ステップＳ１０４）。
【００３５】
ステップＳ１０４のクリーニングモードが終了したら、制御部９０は、乾燥モード（ステップＳ１０５）に移行し、送風ファン５１が所定の回転数（例えば、８００ｒｐｍ）で駆動するよう送風ファン制御手段９２で制御し、所定時間（例えば３時間）だけ送風ファン５１を駆動させ続ける乾燥運転を実施して、３時間経過したと判断したら、送風ファン５１を停止させて運転を終了する。
【００３６】
（バイパス開口の説明）
次に、本実施形態の気水分離ケース３０に形成されたバイパス開口３２周辺の構造について説明する。
図６、７を参照する。気水分離ケース３０の右側面で最上段にあるバッフル板３１より下流側にバイパス開口３２が形成されている。バイパス開口３２は、下端縁が前後方向と平行、前端縁と後端縁が上下方向と平行であり、上端縁が後方から前方へ向けて所定角度で下方へ向けて傾斜している。バイパス開口３２は、気水分離ケース３０の最上段にありバイパス開口３２と対向するバッフル板３１の前後方向の範囲内に位置している。
【００３７】
バイパス開口３２から気水分離ケース３０内へ乾燥空気が流入することで、バイパス開口３２付近で気水分離ケース３０内を上昇してきた加湿空気の流れが乱れる。具体的には、気水分離ケース３０の最上段にあるバッフル板３１を通過した加湿空気の多くはそのまま上昇し、バイパス開口３２から流入した乾燥空気と混合して混合空気となって送風口４０から室内へ送風される。その他の加湿空気はバイパス開口３２方向へ向かい、乾燥空気によりバイパス開口３２の上方と下方とに分流する。バイパス開口３２の上方へ分流した加湿空気は送風口４０へ向かう混合空気と合流し、下方へ分流した加湿空気はバイパス開口３２を迂回して上昇し、混合空気と合流する。
【００３８】
バイパス開口３２付近で発生する結露水について詳述する。ミスト運転の実施時、貯水タンク１０内の各加熱ヒータ１１がＯＮ状態のとき、水が加熱されることで４０℃前後まで温度上昇した加湿空気が気水分離ケース３０内を上昇するため、気水分離ケース３０内は雰囲気温度が４０℃前後で相対湿度がかなり高い状態となる。そして、送風経路５４からバイパス開口３２を介して気水分離ケース３０内へ流入する乾燥空気の温度は室温と同様なので、設置された室内の状況や時期にもよるが２０℃前後である。よって、バイパス開口３２付近となる気水分離ケース３０内の右側面は乾燥空気により気水分離ケース３０内部の雰囲気温度と比較して低くなるため、バイパス開口３２上方となる気水分離ケース３０内側の右側面に結露水が発生する。
【００３９】
（ガイド板の説明）
図７、８、９を参照する。バイパス開口３２の上端縁には、気水分離ケース３０の内側方向である左方向へ突出し、かつ幅方向である前後方向の一端側としての後端３３ａより他端側としての前端３３ｂが下方となるよう傾斜するガイド板３３が設置されている。そして、本実施形態ではバイパス開口３２の上端縁全体に沿ってガイド板３３が設置されている。当該ガイド板３３が設置されたことで、気水分離ケース３０内側の右側面に発生した結露水がバイパス開口３２の上端縁から垂れることを阻止できる。
【００４０】
図８、９を参照する。ガイド板３３は、他端側である前端３３ｂに幅方向である前方向へ延びる突き出し部３３ｃが形成され、突き出し部３３ｃが気水分離ケース３０の前側板に突き当たるよう形成されている。そして、この突き出し部３３ｃと気水分離ケース３０の右側面との間を切り欠いてスリット３３ｄが形成されている。つまり、スリット３３ｄはバイパス開口３２の前端縁よりも前方側に位置している。また、スリット３３ｄは、気水分離ケース３０の右側面と対向する突き出し部３３ｃの端面との左右方向の距離が５ｍｍ未満となるように形成されている。
【００４１】
前記スリット３３ｄが形成されたことで、バイパス開口３２の上方に位置する気水分離ケース３０の右側面で発生した結露水がガイド板３３の傾斜に沿って前端３３ｂへ案内されたとき、スリット３３ｄを介して気水分離ケース３０の右側面を伝い下方へ流れ落ちる。下方へ流れ落ちた結露水は、気水分離ケース３０の右側面を伝って貯水タンク１０へ滴下する。よって、スリット３３ｄによりバイパス開口３２の上方で発生した結露水を効率よく貯水タンク１０内に回収することができる。
【００４２】
なお、気水分離ケース３０の右側面と対向する突き出し部３３ｃの端面との左右方向の幅を５ｍｍ未満としたのは、５ｍｍ以上とした場合、スリット３３ｄの下方から上方へ向けて通過する加湿空気の風量が増加することで、スリット３３ｄに溜まった結露水が気水分離ケース３０の下方へ向けて落下せずに留まり、留まった結露水が加湿空気により千切れて送風口４０まで案内されるリスクが高まるためである。つまり、スリット３３ｄを通過する加湿空気の風量は送風ファン５１の回転数や送風経路５４の風路面積等、スリット３３ｄの上流側にある駆動部材の駆動レベル及び送風路の構造に依存することから、本実施形態と異なる送風ファン５１の回転数、及び異なる送風経路５４構造でミスト運転を実施する場合、加湿空気により結露水が千切れ飛ばないスリット３３ｄの幅を設定する必要があるため、スリット３３ｄの幅は５ｍｍに限定されず適宜変更可能なものである。
【００４３】
図９を参照する。ガイド板３３の後端３３ａはＣ面加工されている。これにより、貯水タンク１０から上昇してきた加湿空気のガイド板３３に触れる面積が減少し、後端３３ａに溜まる加湿空気中の水分量を少なくすることができるため、後端３３ａに溜まった水分が気水分離ケース３０内で上昇する加湿空気により千切れ飛び、送風口４０まで案内されることが阻止できる。
【００４４】
図１０を参照する。ガイド板３３は、板金を折り曲げた逆Ｌ字状に成形されており、気水分離ケース３０外側の右側面に溶接等の手段で接続された接続面３３ｅと、気水分離ケース３０の内側方向に突出する案内面３３ｆとで構成されている。そして、気水分離ケース３０の内側で接続面３３ｅと案内面３３ｆとで成す角度θが鋭角となるよう成形されている。
【００４５】
これにより、バイパス開口３２の上方からガイド板３３に流れ落ちた結露水は、案内面３３ｆの左端側から流れ落ちることなくスリット３３ｄがある前端３３ｂへ案内されるので、案内面３３ｆの左端側に溜まった結露水が加湿空気により千切れ飛び、送風口４０まで案内されることを阻止することができる。
【００４６】
次に、本発明の効果を説明する。
【００４７】
図６、７を参照する。バイパス開口３２の上端縁には、気水分離ケース３０の内側方向である左方向へ突出し、かつ幅方向である前後方向の一端側としての後端３３ａより他端側としての前端３３ｂが下方となるよう傾斜するガイド板３３が設置されている。これにより、バイパス開口３２の上方で発生した結露水がバイパス開口３２の上端縁に達したとき、ガイド板３３の前端３３ｂへ結露水が案内されるため、バイパス開口３２の上端縁から垂れた結露水がバイパス開口３２から気水分離ケース３０内へ流入する乾燥空気によって千切れ飛ぶのを阻止することができ、送風口４０まで案内された結露水により送風口４０内にスケールが付着することや、送風口４０から吹き出した結露水により器具本体１の設置面が濡れること等、結露水による不具合を未然に阻止することができる。
【００４８】
図８、９を参照する。ガイド板３３は、他端側である前端３３ｂに幅方向である前方向へ延びる突き出し部３３ｃが形成され、突き出し部３３ｃと気水分離ケース３０の右側面との間にスリット３３ｄを形成した。これにより、ガイド板３３の前方側に流れてきた結露水がスリット３３ｄを介して気水分離ケース３０の右側面を伝い、貯水タンク１０まで流れ落ちるため、バイパス開口３２の上方に溜まった結露水がガイド板３３上に溜まり続けることなく、スムーズに貯水タンク１０へ案内される。
【００４９】
図１０を参照する。ガイド板３３を構成する接続面３３ｅと案内面３３ｆとで成す角度が鋭角となるように形成した。これにより、ガイド板３３上に溜まった結露水が気水分離ケース３０の内側方向となる案内面３３ｆの端面から垂れることなくスリット３３ｄへ案内されるため、案内面３３ｆの端面から垂れた結露水がバイパス開口３２から気水分離ケース３０内へ流入する乾燥空気により送風口４０まで案内され、送風口４０内にスケールが付着することや、送風口４０から吹き出した結露水により器具本体１の設置面が濡れること等、結露水によって発生する不具合を未然に阻止することができる。
【００５０】
なお、本実施形態ではバイパス開口３２の上端縁全体をガイド板３３で覆う内容で説明したが、バイパス開口３２の上端縁において結露水が垂れなければよいことから、例えば、結露水の発生場所がバイパス開口３２の前後方向における半分より前側だけであれば、バイパス開口３２の前後方向における半分より前側のみをガイド板３３で覆う構成であってもよく、バイパス開口３２の上端縁全体をガイド板３３で覆うことに限定した内容の発明ではない。
【００５１】
また、本実施形態では加湿空気発生手段として、各加熱ヒータ１１で貯水タンク１０内の水を加熱し、ミストモータ２４を駆動させることで回転体２０により貯水タンク１０内の水を汲み上げて周囲に飛散させ、多孔部２３に衝突させることで微細なミストを発生させるもので説明したが、ヒータ等の加熱手段により貯水タンク１０内の水を高温にして加湿空気を発生させるスチーム式の加湿空気発生手段であってもよく、加湿空気と乾燥空気の温度に差異が生じるような加湿空気発生手段であれば本発明による作用効果が発生するので適用可能であり、本発明と均等な範囲となる。
【符号の説明】
【００５２】
１    器具本体
１０    貯水タンク
１１ａ  上加熱ヒータ（加湿空気発生手段）
１１ｂ  下加熱ヒータ（加湿空気発生手段）
２０    回転体（加湿空気発生手段）
２３    多孔部（加湿空気発生手段）
２４    ミストモータ（加湿空気発生手段）
３０    気水分離ケース（加湿風路）
３２    バイパス開口
３３    ガイド板
３３ａ  後端（一端側）
３３ｂ  前端（他端側）
３３ｃ  突き出し部
３３ｄ  スリット
３３ｅ  接続面
３３ｆ  案内面
４０    送風口
５１    送風ファン
５４    送風経路（乾燥風路）
【図１】
2020134012.tif 000003
【図２】
2020134012.tif 000004
【図３】
2020134012.tif 000005
【図４】
2020134012.tif 000006
【図５】
2020134012.tif 000007
【図６】
2020134012.tif 000008
【図７】
2020134012.tif 000009
【図８】
2020134012.tif 000010
【図９】
2020134012.tif 000011
【図１０】
2020134012.tif 000012